(57)【要約】【課題】地上デジタルテレビ放送信号の他に、他の放送信号の受信、復調を行う機能を備え、携帯用電子機器に用いて好適な小型化、薄型化された高周波信号受信装置を提供する。【解決手段】新たにサービスが開始された地上デジタル放送の受信機能を実現するために設けられる高周波回路部１１とデジタル復調部１３とからなる第１のチューナ部に加えて、従来からの地上アナログテレビ放送とＦＭラジオ放送の受信機能を実現するために、高周波回路部１１とアナログ音声復調部１５とからなる第２のチューナ部を設け、地上デジタルテレビ放送と、地上アナログテレビ放送と、ＦＭラジオ放送のいずれかが受信可能な場所であれば、放送により確実に情報を取得できるようにする。【選択図】図１
2006013646.tif 000002
【特許請求の範囲】
【請求項１】
携帯用電子機器に用いられる高周波受信装置であって、
地上デジタルテレビ放送信号を受信、選局して復調する第１のチューナ部と、
地上アナログテレビ放送信号とＦＭラジオ放送信号とを選択的に受信、選局して復調する第２のチューナ部と
を備えることを特徴とする高周波信号受信装置。
【請求項２】
請求項１に記載の高周波信号受信装置であって、
前記第１のチューナ部は、
地上デジタルテレビ放送信号を受信、選局して中間周波信号に変換する第１の高周波回路部と、
前記第１の高周波回路部からの中間周波信号から目的とするデジタル信号を復調するデジタル復調部と
からなり、
前記第２のチューナ部は、
地上アナログテレビ放送信号とＦＭラジオ放送信号とを選択的に受信、選局して中間周波信号に変換する第２の高周波回路と、
前記高周波回路からの中間周波信号から、少なくとも地上アナログテレビ放送信号の音声信号と、ＦＭラジオ放送信号の音声信号との復調を行うアナログ音声信号復調部と
からなり、
前記第１のチューナ部と前記第２のチューナ部とは、前記第１の高周波回路部、および、前記第２の高周波回路部として、ＦＭラジオ放送信号から地上デジタルテレビ放送信号までの伝送帯域の放送信号に対応可能な広帯域の１つの高周波回路を兼用することを特徴とする高周波信号受信装置。
【請求項３】
請求項２に記載の高周波信号受信装置であって、
前記アナログ音声復調部においては、地上アナログテレビ放送の音声信号とＦＭラジオ放送の音声信号とを検波する共用のＦＭ復調部を有することを特徴とする高周波信号受信装置。
【請求項４】
請求項１、請求項２または請求項３に記載の高周波信号受信装置であって、
前記第１のチューナ部と前記第２のチューナ部とをカード型の筐体に収納して構成し、携帯用電子機器に着脱可能にしたことを特徴とする高周波信号受信装置。
【発明の詳細な説明】
【技術分野】
【０００１】
この発明は、例えば、携帯電話端末、ＰＤＡ（Personal Digital Assistants）などと呼ばれる携帯型情報機器、ノート型パーソナルコンピュータなど、種々のいわゆるモバイル機器（携帯電子機器）に搭載され、放送信号を受信して利用できるようにする高周波信号受信装置に関する。
【背景技術】
【０００２】
ＬＣＤ（Liquid Crystal Display）などの表示素子やスピーカを備えたパーソナルコンピュータやビデオカメラなどの電子機器が広く用いられている。これらの電子機器にテレビ放送の受信機能を搭載することができれば、その活用範囲を広げることができる。しかし、パーソナルコンピュータやビデオカメラなどの電子機器においては、テレビ放送の受信機能が常時必要なわけではない。
【０００３】
そこで、後に記す特許文献１には、いわゆるカード型のケース内に地上アナログテレビ放送用のチューナ回路、チャンネル制御回路、復調回路などを搭載したカード型電子チューナを構成する技術が開示されている。そして、必要な場合においてのみ、カード型電子チューナをパーソナルコンピュータやビデオカメラが備えるＰＣカードスロットに装着するだけで、それらの電子機器に対してテレビ放送の受信機能を付加することができるようにしている。
【０００４】
また、携帯電話端末やＰＤＡなどの普及に伴い、これらの携帯用電子機器にもテレビ放送の受信機能を搭載することが考えられ、カード型電子チューナよりもさらに小型化したチューナモジュールの開発と実用化も進められている。
【特許文献１】特開平５−１４１３３号公報
【発明の開示】
【発明が解決しようとする課題】
【０００５】
ところで、近年、地上デジタルテレビ放送の開始に伴い、モバイル機器向け専用のデジタルテレビ放送も企画されており、日本ではＩＳＤＢ-Ｔ（Integrated Services Digital Broadcasting-Terrestrial）の１３セグメントの通常の地上デジタルテレビ放送に加え、１３セグメントの内の１セグメントを使用したモバイル用デジタルテレビ放送が企画されている。
【０００６】
このモバイル用デジタルテレビ放送を受信するモバイル端末機器としては各種のものが予定されているが、その代表的なものは携帯電話端末であり、モバイルデジタルテレビ放送を受信するためにモバイル端末機器内に搭載されるテレビ放送受信用チューナモジュールは、従来のテレビ受像機に使用されていたものより格段に小型化、薄型化されたものが要求される。
【０００７】
しかし、デジタルモバイルテレビ放送の場合は前述のように地上デジタル放送の１３セグメント（周波数帯域幅６ＭＨｚ）の中の１セグメント（周波数帯域幅５００ｋＨｚ）を使用しているため受信回路の簡略化は比較的容易であると考えられる。そして、高周波信号である地上デジタル放送信号を受信選局して中間周波信号に変換する高周波回路部と、変換された中間周波信号を元のベースバンド信号（デジタル信号）に変換するデジタル復調部との少なくとも２つのＩＣ（Integrated Circuit）でデジタルモバイルテレビ放送用のチューナモジュールを構成することができ、形状も携帯電話端末等のモバイル機器に搭載可能な小型薄型にすることが可能である。
【０００８】
このように、デジタルモバイルテレビ放送用の小型化、薄型化したチューナモジュールを構成することはできるが、デジタルモバイルテレビ放送用のチューナモジュールの場合、地上アナログテレビ放送あるいはＦＭラジオ放送の受信復調機能がない。このため、地上アナログテレビ放送信号やＦＭラジオ放送信号を受信、選局し、復調して利用することはできない。
【０００９】
しかし、携帯電話端末などのモバイル機器は、持ち運ばれて使用されるため、デジタルモバイルテレビ放送は受信できないが、地上アナログテレビ放送やＦＭラジオ放送は受信できる環境にある場合もある。もちろん、この逆の場合もある。このように、持ち運ばれて使用されるモバイル機器の場合、旅行に行くなどして普段と受信可能な放送信号が異なる場合もある。
【００１０】
このため、デジタルモバイルテレビ放送信号と、その他の放送信号、例えば、地上アナログテレビ放送信号やＦＭラジオ放送信号を受信して復調し利用できるようにしておき、種々の移動先において、いずれかの放送信号を通じて確実に情報を取得できるようにしておくことが望まれている。
【００１１】
以上のことにかんがみ、この発明は、地上デジタルテレビ放送信号の他に、他の放送信号の受信、復調を行う機能を備え、携帯用電子機器に用いて好適な小型化、薄型化された高周波信号受信装置を提供することを目的とする。
【課題を解決するための手段】
【００１２】
上記課題を解決するため、請求項１に記載の発明の高周波信号受信装置は、
携帯用電子機器に用いられる高周波受信装置であって、
地上デジタルテレビ放送信号を受信、選局して復調する第１のチューナ部と、
地上アナログテレビ放送信号とＦＭラジオ放送信号とを選択的に受信、選局して復調する第２のチューナ部と
を備えることを特徴とする。
【００１３】
この請求項１に記載の発明の高周波信号受信装置によれば、新たにサービスが開始された地上デジタル放送の受信機能を実現する第１のチューナ部に加えて、従来からの地上アナログテレビ放送とＦＭラジオ放送の受信機能を実現する第２のチューナ部が設けられるようにされる。
【００１４】
これにより、地上デジタルテレビ放送と、地上アナログテレビ放送と、ＦＭラジオ放送のいずれかが受信可能な場所であれば、放送により確実に情報を取得し、これを利用することができる。
【００１５】
また、請求項２に記載の発明の高周波信号受信装置は、請求項１に記載の高周波信号受信装置であって、
前記第１のチューナ部は、
地上デジタルテレビ放送信号を受信、選局して中間周波信号に変換する第１の高周波回路部と、
前記第１の高周波回路部からの中間周波信号から目的とするデジタル信号を復調するデジタル復調部と
からなり、
前記第２のチューナ部は、
地上アナログテレビ放送信号とＦＭラジオ放送信号とを選択的に受信、選局して中間周波信号に変換する第２の高周波回路と、
前記高周波回路からの中間周波信号から、少なくとも地上アナログテレビ放送信号の音声信号と、ＦＭラジオ放送信号の音声信号との復調を行うアナログ音声信号復調部と
からなり、
前記第１のチューナ部と前記第２のチューナ部とは、前記第１の高周波回路部、および、前記第２の高周波回路部として、ＦＭラジオ放送信号から地上デジタルテレビ放送信号までの伝送帯域の放送信号に対応可能な広帯域の１つの高周波回路を兼用することを特徴とする。
【００１６】
この請求項２に記載の発明の高周波信号受信装置によれば、第１、第２のチューナ部のいずれも、目的とする放送信号を受信、選局する高周波回路が必要であるが、ＦＭラジオ放送の伝送帯域から地上デジタルテレビ放送の伝送帯域までをカバーする対応可能周波数帯域が広帯域な１つの高周波回路が、第１、第２のチューナ部の、第１、第２の高周波回路として共用される。
【００１７】
これにより、第１のチューナ部と第２のチューナ部とで、別々に高周波回路を設ける必要がなくなり、高周波信号受信装置の小型化、薄型化を図ることができる。すなわち、小型化、軽量化が要求される種々のモバイル機器への搭載に適した高周波信号受信装置を形成することができるようにされる。
【００１８】
また、請求項３に記載の発明の高周波信号受信装置は、請求項２に記載の高周波信号受信装置であって、
前記アナログ音声復調部においては、地上アナログテレビ放送の音声信号とＦＭラジオ放送の音声信号とを検波する共用のＦＭ復調部を有することを特徴とする。
【００１９】
この請求項３に記載の発明の高周波受信装置によれば、アナログ音声復調部においては、地上アナログテレビ放送の音声信号を利用する場合であっても、ＦＭラジオ放送の音声信号を利用する場合であっても、同じＦＭ復調部（ＦＭ検波部）が用いられるように構成される。
【００２０】
これにより、地上アナログテレビ放送により提供される音声信号を復調する場合であっても、ＦＭラジオ放送により提供される音声信号を復調する場合であっても、同じＦＭ復調部で処理することができるので、高周波信号受信装置の小型化、薄型化を促進し、小型化、薄型化され、モバイル機器への利用に適した高周波信号受信装置を実現することができる。
【００２１】
また、請求項４に記載の発明の高周波信号受信装置は、請求項１、請求項２または請求項３に記載の高周波信号受信装置であって、
前記第１のチューナ部と前記第２のチューナ部とをカード型の筐体に収納して構成し、携帯用電子機器に着脱可能にしたことを特徴とする。
【００２２】
この請求項４に記載の発明の高周波信号受信装置によれば、カード型の筐体に第１、第２のチューナ部が搭載された高周波信号受信装置を構成することができ、必要な場合にのみ、携帯用電子機器に放送信号の受信機能を追加するようにすることができる。しかも、受信可能な放送信号は、地上デジタルテレビ放送、地上アナログテレビ放送、ＦＭラジオ放送と複数あるので、放送を通じての情報の取得機会を確実に提供することができるようにされる。
【発明の効果】
【００２３】
この発明によれば、携帯電子機器において、デジタルモバイルテレビ放送に加えて、地上アナログテレビ放送、ＦＭラジオ放送を受信、選局し、その音声信号を利用できるようにすることができる。したがって、デジタルモバイルテレビ放送の受信ができない場所であっても、地上アナログテレビ放送やＦＭラジオ放送を受信可能な場所であれば、それらの音声信号を利用することができ、逆に、地上アナログテレビ放送やＦＭラジオ放送が受信できない場所であっても、デジタルモバイルテレビ放送の受信ができる場所であれば、その映像信号と音声信号との両方を利用することができる。すなわち、複数種類の放送信号の利用を可能にしておくことにより、放送を通じての情報の取得機能の有効性を確保することができる。
【００２４】
また、機能の重複する回路部を共用することによって、小型化、薄型化を図り、携帯用電子機器に用いるのに適した高周波信号受信装置を実現することができる。
【発明を実施するための最良の形態】
【００２５】
以下、図を参照しながら、この発明による高周波受信装置について説明する。以下に説明する実施の形態においては、この発明を携帯電話端末に搭載するようにした場合を例にして説明する。
【００２６】
［チューナモジュールを搭載したシステムについて］
図１は、この発明による高周波受信装置が適用されたチューナモジュール１が搭載された携帯電話端末を説明するためのブロック図である。この実施の形態の携帯電話端末は、図１に示すように、通信のための送受信アンテナＡＮＴ−Ｄと、例えば、受信回路、送信回路、ベースバンド処理部、音声コーデック、キー操作部、制御回路などの電話通信のための種々の回路部を有する携帯電話モジュール９と受話器９ａと、送話器９ｂとを備えている。
【００２７】
そして、上述の携帯電話モジュール９を通じて、携帯電話網に接続し、目的とする相手先との間で電話通信を行ったり、また、後述するように自機が備える表示素子を介して、電子メールを作成してこれを送信したり、また、自機宛ての電子メールを受信してこれを表示したり、また、Ｗｅｂページにアクセスして閲覧したりすることができるものである。なお、これら電子メールの送受信やＷｅｂページの閲覧は、携帯電話網を経由してインターネットに接続して行われる。
【００２８】
また、ＬＣＤ（Liquid Crystal Display）コントローラ（図１においてはＬＣＤＣＴＬと記載。）４と比較的に大きな表示画面を有する表示素子であるＬＣＤ５とを備え、ＬＣＤコントローラ４を通じてＬＣＤ５の表示画面に、例えば、電話帳リスト、送信電子メール、受信電子メール、Ｗｅｂページの情報、その他の各種のガイダンス情報やメッセージ情報などを表示することができるものである。また、音声信号処理部７、スピーカ８を備え、着信音（着信メロディ）や種々の警告音などを比較的に高品位の音質で放音することができるものである。
【００２９】
さらに、この実施の形態の携帯電話端末は、図１に示すように、放送信号受信用のアンテナＡＮＴと、放送信号受信用のチューナモジュール１と、デ・マルチプレクサ（図１においてはＤＥＭＵＸと記載。）２と、ＭＰＥＧデコーダ（図１においてはＤＥＣと記載。）３と、スイッチ回路（図１においてはＳＷと記載。）６とを備えている。
【００３０】
チューナモジュール１は、図１に示すように、高周波回路部１１と、スイッチ回路（図１においてはＳＷと記載。）１２と、デジタル復調部１３と、アナログ音声復調部１５とを備え、詳しくは後述もするが、デジタルモバイルテレビ放送と、地上アナログテレビ放送と、ＦＭラジオ放送との受信、選局が可能なものであり、デジタルモバイルテレビ放送の映像と音声、地上アナログテレビ放送の音声、ＦＭラジオ放送の音声を利用することができるようにしている。
【００３１】
すなわち、チューナモジュール１は、ＦＭラジオ放送の周波数帯からＵＨＦ帯まで（７７ＭＨｚ〜７７０ＭＨｚ（ＦＭ信号の周波数帯７７ＭＨｚ〜９０ＭＨｚ、ＶＨＦ帯９０ＭＨｚ〜２２２ＭＨｚ、ＵＨＦ帯４７０ＭＨｚ〜７７０ＭＨｚ））の帯域の放送信号を受信、選局することができるものである。なお、デジタルモバイルテレビ放送を行う地上デジタルテレビ放送は、ＵＨＦ帯で行われるようにされている。
【００３２】
しかし、チューナモジュール１の高周波回路部１１においては、処理する信号の帯域幅をデジタルモバイル放送信号の帯域幅である５００ｋＨｚにまで帯域制限するようにしているので、地上アナログテレビ放送信号の映像信号（帯域幅６ＭＨｚ）については扱うことはできない。このため、地上アナログテレビ放送信号については音声信号の利用に止めている。
【００３３】
なお、チューナモジュール１は、後述もするが、通常の受信回路において必要になる空芯コイルなどを使用せず、また、消費電力を極めて小さくすることにより、縦横の大きさは小型の切手ほどの大きさであり、厚みも２ｍｍ〜３ｍｍ程度と極めて小型化、薄型化されたものであり、携帯電話端末などの小型化が要求されるモバイル機器に搭載して好適なものである。
【００３４】
そして、この実施の形態の携帯電話端末は、携帯電話端末として用いられていない場合には、チューナモジュール１を通じて、デジタルモバイルテレビ放送や地上アナログテレビ放送やＦＭラジオ放送を受信、選局して利用することができるようにしている。この場合、アンテナＡＮＴ受信された種々の放送信号は、高周波回路部１１に供給され、ここで目的とする放送信号が選局されるとともに、所定の帯域幅の中間周波信号に変換され、スイッチ回路１２に供給される。
【００３５】
スイッチ回路１２は、供給された中間周波信号をデジタル復調部１３に供給するか、ＳＡＷ（Surface Acoustic Wave）フィルタ１４に供給するかを、当該携帯電話端末に設けられているキー操作部を通じて受け付けるユーザーからの指示入力に応じて切り換える。ここで、デジタルモバイルテレビ放送を受信選局するように、ユーザーによって指示された場合には、スイッチ回路１２は、高周波回路部１１からの中間周波信号をデジタル復調部１３に供給するように切り換えられる。
【００３６】
デジタル復調部１３は、これに供給された中間周波信号をデジタル信号に変換して復調するなどしてＴＳ（Transport Stream）信号を形成し、これをデ・マルチプレクサ２に供給する。デ・マルチプレクサ２は、これに供給されたＴＳ信号から、ユーザーからの指示入力に応じた放送番組の映像データと音声データとを抽出し、これをＭＰＥＧデコーダ３に供給する。ＭＰＥＧデコーダ３は、これに供給された映像データ、音声データをＭＰＥＧ方式に従って圧縮解凍して、圧縮符号化前の映像データと音声データとを復元する。
【００３７】
そして、ＭＰＥＧデコーダ３は、復元した映像データをＬＣＤコントローラ４に供給し、復元した音声データをアナログ信号に変換してスイッチ回路６に供給する。ＬＣＤコントローラ４は、これに供給された映像データからＬＣＤ５に供給する形式の映像信号を形成して、これをＬＣＤ５に供給する。これにより、ＬＣＤ５の表示画面には、ＬＣＤコントローラ４からの映像信号に応じた映像が表示される。
【００３８】
また、上述のようにしてデジタルモバイルテレビ放送がユーザーによって選局された場合には、図示しない制御部を通じて、スイッチ回路６が、ＭＰＥＧデコーダ３からの音声データを出力するように切り換えられるので、ＭＰＥＧデコーダ３からの音声信号が音声信号処理部７に供給される。音声信号処理部７は、これに供給された音声信号を増幅したりするなどの所定の処理を行って、処理後の音声信号をスピーカ８に供給する。これにより、スピーカ８からは、ＭＰＥＧデコーダ３からの音声データに応じた音声が放音される。
【００３９】
また、地上アナログテレビ放送またはＦＭラジオ放送を受信選局するようにユーザーによって指示された場合には、スイッチ回路１２は、高周波回路部１１からの中間周波信号をＳＡＷフィルタ１４に供給するように切り換えられる。ＳＡＷフィルタ１４は、これに供給された中間周波信号から地上アナログテレビ放送の音声信号成分と、ＦＭラジオ放送の音声信号成分とを抽出し、アナログ音声復調部１５に供給する。
【００４０】
アナログ音声復調部１５は、ユーザーからの指示入力により地上アナログテレビ放送の受信選局が指示されている場合には、地上アナログテレビ放送信号の音声信号を復調して出力し、ＦＭラジオ放送の受信選局が指示されている場合には、ＦＭラジオ放送信号を復調して出力する。アナログ音声復調部１５からのアナログ音声信号は、スイッチ回路６に供給される。
【００４１】
スイッチ回路６は、地上アナログテレビ放送の受信選局が指示されている場合、または、ＦＭラジオ放送の受信選局が指示されている場合には、アナログ音声復調部１５からのアナログ音声信号を出力するように図示しない制御部を通じて切り換えられるので、この場合には、アナログ音声復調部１５からのアナログ音声信号が、音声信号処理部７に供給される。
【００４２】
音声信号処理部７は、これに供給されたアナログ音声信号が供給された場合には、これを増幅したりするなどの所定の処理を行って、処理後の音声信号をスピーカ８に供給する。これにより、スピーカ８からは、地上アナログテレ放送の音声信号に応じた音声、あるいは、ＦＭラジオ放送信号に応じた音声が放音される。
【００４３】
このように、この実施の形態の携帯電話端末は、通信を行っていない場合に、自機に搭載されたチューナモジュール１を通じて、デジタルモバイルテレビ放送信号が受信可能な場所においては、これを受信、選局し、当該デジタルモバイルテレビ放送信号によって提供される放送番組の映像と音声とを視聴することができるようにしている。
【００４４】
また、地上アナログテレビ放送信号、あるいは、ＦＭラジオ放送信号が受信可能な場所においては、これを受信、選局し、当該地上アナログテレビ放送信号、あるいは、当該ＦＭラジオ放送信号によって提供される放送番組の音声を復調して再生し、これを聴取できるようにしている。
【００４５】
［チューナモジュールの構成例について］
次に、この実施の形態の携帯電話端末に搭載されたチューナモジュール１の構成例について詳細に説明する。図２は、この実施の形態の携帯電話端末に搭載されるチューナモジュール１の構成例を説明するためのブロック図である。
【００４６】
チューナモジュール１は、図１を用いて説明し、また、図２にも示すように、受信アンテナＡＮＴが接続された高周波回路部１１と、デジタル復調部１３と、アナログ音声復調部１５とを備えている。そして、高周波回路部１１と、デジタル復調部１３またはアナログ音声復調部１５との内の一方とを選択的に接続するためのスイッチ回路１２が設けられ、スイッチ回路１２とアナログ音声復調部１５との間には、帯域制限用のＳＡＷフィルタ１４が設けられたものである。
【００４７】
この場合、高周波回路部１１とデジタル復調部１３とにより、デジタルモバイルテレビ放送受信用チューナ（第１のチューナ部）を構成しており、デジタルモバイルテレビ放送により提供される映像信号と音声信号との利用を可能にしている。そして、アナログ音声復調部１５を設けることにより、高周波回路部１１と、当該アナログ音声復調部１５とによって地上アナログテレビ放送およびＦＭラジオ放送の受信用チューナ（第２のチューナ）部を構成しており、地上アナログテレビ放送の音声信号とＦＭラジオ放送の音声信号との利用を可能にしている。
【００４８】
そして、図２に示すように、高周波回路部１１は、高周波増幅器１１１と、混合器１１２と、局部発信器１１３と、中間周波増幅器１１４とを備えたものである。デジタル復調部１３は、Ａ／Ｄ（Analog/Digital）変換器１３１、ＯＦＤＭ（Orthogonal Frequency Division Multiplexing）復調部１３２、ＦＥＣ（Forward Error Correction）部１３３を備えたものである。
【００４９】
また、アナログ音声復調部１５は、中間周波増幅器１５１、映像検波器１５２、発振回路１５３、ＦＭ混合器１５４、ＦＭ用局部発振回路１５５、スイッチ回路１５６、帯域制限フィルタ１５７、ＦＭ検波器１５８と、低域通過フィルタ１５９と、増幅器１６０とを備えたものである。
【００５０】
このうち、低域通過フィルタ１５９と、増幅器１６０とは、映像信号処理用のものであり、この実施の形態においては利用されることはない。すなわち、アナログ音声復調部１５は、携帯電話端末などのモバイル機器用に開発された地上アナログテレビ放送用のＩＣ（Integrated Circuit）である中間周波数回路部（中間周波復調部）をそのまま利用している。
【００５１】
このように構成されたこの実施の形態のチューナモジュール１は、受信、選局する放送波に応じて、以下に説明するように動作する。以下においては、デジタルモバイルテレビ放送信号を受信、選局する場合と、地上アナログテレビ放送やＦＭラジオ放送を受信、選局する場合とに分けて、その動作について説明する。
【００５２】
まず、デジタルモバイルテレビ放送信号を受信、選局する場合について説明する。アンテナＡＮＴを通じて受信された放送信号は、高周波回路部１１の高周波増幅器１１１に供給され、ここで所定のレベルにまで増幅された後、混合器１１２に供給される。この混合器１１２には、図２に示したように、局部部発振器１１３からの局部発振信号も供給される。
【００５３】
デジタルモバイルテレビ放送は、上述もしたように、地上デジタルテレビ放送信号の１３セグメントの内の１セグメントを用いて行われるものであり、その帯域幅は約５００ｋＨｚである。このため、局部発振器１１３からの局部発振信号は、目的とする放送信号であるデジタルモバイル放送信号をその帯域幅が約５００ｋＨｚの所定の中間周波信号に変換するために用いられる。
【００５４】
混合器１１２において、高周波増幅器１１１からの高周波信号と局部発振器１１３からの局部発振信号が混合されて形成された帯域幅が５００ｋＨｚの中間周波信号は、中間周波増幅器１１４において増幅された後に、この場合において、デジタル復調部１３側に切り換えられているスイッチ回路１２を通じてデジタル復調部１３のＡ／Ｄ変換器１３１に供給される。Ａ／Ｄ変換器１３１は、これに供給された中間周波信号をデジタル信号に変換し、これをＯＦＤＭ復調部１３２に供給する。
【００５５】
ＯＦＤＭ復調部１３２は、これに供給されたデジタル信号をＯＦＤＭ復調し、復調後のデジタル信号をＦＥＣ部１３３に供給する。ＦＥＣ部１３３は、これに供給されたＯＦＤＭ復調後のデジタル信号に対して符号誤り訂正を行う。これにより、目的とするデジタルモバイルテレビ放送信号の映像データパケットや音声データパケットからなるＴＳ信号が形成され、これがＴＳ信号の出力端子ＴＳを通じて出力される。
【００５６】
出力端子ＴＳから出力されたＴＳ信号は、図１を用いて説明したように、後段に続くデ・マルチプレクサ２に供給され、目的とする放送番組の映像データと音声データとが抽出され、ＭＰＥＧデコーダ３でデコードされて利用される。
【００５７】
次に、地上アナログテレビ放送やＦＭラジオ放送を受信、選局する場合について説明する。高周波回路部１１における動作は、デジタルモバイルテレビ放送を受信選局する場合とほぼ同様である。すなわち、アンテナＡＮＴを通じて受信された放送信号は、高周波回路部１１の高周波増幅器１１１で所定のレベルにまで増幅され、混合器１１２において、局部発振器１１３からの局部発振信号によって、所定の周波数帯域の地上アナログテレビ放送信号、あるいは、ＦＭラジオ放送信号が帯域幅が約５００ｋＨｚの所定の中間周波信号に変換される。
【００５８】
混合器１１２からの中間周波信号は、中間周波増幅器１１４において増幅された後に、この場合において、アナログ音声復調部１５側に切り換えられているスイッチ回路１２を通じてＳＡＷフィルタ１４に供給され、ここで帯域制限された中間周波信号が、アナログ音声復調部１５の中間周波増幅器１５１と、ＦＭ混合器１５４に供給される。
【００５９】
そして、受信、選局された放送信号が、地上アナログテレビ放送信号である場合には、ＳＡＷフィルタ１４からの中間周波信号が、アナログ音声復調部１５の中間周波増幅回路１５１において増幅された後に、映像検波器１５２に供給される。映像検波器１５２は、発振回路１５３からの発振信号に基づいて、供給された中間周波信号を映像信号と音声周波数信号とに検波変換する。
【００６０】
映像検波器１５２において形成された映像信号については、低域通過フィルタ１５９、増幅回路１６０を通じて出力するようにされ、音声周波数信号については、この場合に映像検波器１５２側に切り換えられているスイッチ回路１５６を通じて帯域通過フィルタ１５７に供給される。そして、帯域制限フィルタ１５７で帯域制限された音声周波数信号は、ＦＭ検波器１５８に供給され、ここで、検波（復調）されてアナログ音声信号が形成され、これが音声信号出力端子ＡＵを通じて出力される。
【００６１】
また、受信、選局された放送信号が、ＦＭラジオ放送信号である場合には、ＳＡＷフィルタ１４からの中間周波信号が、ＦＭ混合器１５４において、ＦＭ用局部発振回路１５５からのＦＭ局部発振信号が用いられてＦＭ第２中間周波信号に変換さる。ＦＭ混合器１５４からのＦＭ第２中間周波信号は、スイッチ回路１５６を通じて帯域通過フィルタ１５７に供給される。この帯域制限フィルタ１５７で帯域制限されたＦＭ第２中間周波信号は、ＦＭ検波器１５８に供給され、ここで、検波（復調）されてアナログ音声信号が形成され、これが音声信号出力端子ＡＵを通じて出力される。
【００６２】
音声信号の出力端子ＡＵを通じて出力されたアナログ音声信号は、図１を用いて説明したように、スイッチ回路６を通じて音声信号処理部７に供給され、ここで増幅処理されるなどの処理の音声信号処理が施され、スピーカ８に供給されて、地上アナログテレビ放送の音声、あるいは、ＦＭラジオ放送の音声が放音され、これを聴取することができるようにされる。
【００６３】
このように、この実施の形態の携帯電話端末においては、通信を行っていない場合においては、ユーザーの選択により、デジタルモバイルテレビ放送信号を受信、選局して、その映像と音声とを視聴することができ、また、地上アナログテレビ放送やＦＭラジオ放送を受信、選局して、地上アナログテレビ放送やＦＭラジオ放送の音声を聴取することができるようにしている。
【００６４】
そして、この実施の形態のチューナモジュール１は、高周波回路部１１の局部発振器１１３は、７７ＭＨｚ〜７７０ＭＨｚまでの広い帯域幅に存在する種々の放送信号を選局して、帯域幅が約５００ｋＨｚの中間周波信号に変換するための局部発振信号を形成することが可能なものであり、非常に広い周波数範囲において受信選局する放送信号に応じた局部発振信号を生成することが可能な可動範囲の広いものである。
【００６５】
これにより、この実施の形態のチューナモジュール１においては、デジタルモバイルテレビ放送信号、地上アナログテレビ放送信号、ＦＭラジオ放送信号のいずれを受信選局する場合であっても、ただ１つの高周波回路部１１によって対応できる。
【００６６】
また、地上アナログテレビ放送信号においては、映像信号は、９０ＭＨｚ〜７７０ＭＨｚの帯域の映像搬送波に対して当該映像信号に応じて振幅変調（ＡＭ）を施して送信されるのに対して、音声信号は上述の映像搬送波とは異なる周波数の音声搬送波、例えば、映像搬送波よりも４．５ＭＨｚ高い周波数の音声搬送波を当該音声信号に応じて周波数変調（ＦＭ）を施して送信するようにされており、また、ＦＭラジオ放送の音声信号は、７７ＭＨｚ〜９０ＭＨｚの搬送波を当該音声信号に応じて周波数変調（ＦＭ）が施されて送信される。
【００６７】
このため、地上アナログテレビ放送信号の音声信号とＦＭラジオ放送信号の音声信号とのいずれを受信選局して利用する場合であっても、帯域制限フィルタ１５７、ＦＭ検波器１５８は共通に用いることができる。
【００６８】
また、チューナモジュール１においては、インダクタ素子として厚みを取ってしまう空芯コイルを用いることなく、しかも消費電力を極めて小さくするようにしているので、チューナモジュール１自体を小型化、薄型化することができ、携帯電話端末などのいわゆるモバイル機器にも十分に搭載可能な大きさにしている。
【００６９】
図３は、この実施の形態のチューナモジュール１の概観と従来の一般的なチューナモジュールの概観とを比較するための図である。上述したように、この実施の形態のチューナモジュール１は、小型化、薄型化が進められ、図３Ａに示すように、横２５ｍｍ×縦２０ｍｍ×高さ２．８ｍｍ（容積１．４ｃｃ）というように、若干の高さ（厚み）はあるもの小型の切手程度の大きさにまで、小型化、薄型化を実現することができる。
【００７０】
同様の機能を有する従来の一般的なチューナモジュールを構成した場合には、例えば、図３Ｂに示したように、横１００ｍｍ×縦４５ｍｍ×高さ１５ｍｍ（容積６７．５ｃｃ）にもなることを考えると、この実施の形態のチューナモジュール１は極めて小型化、薄型化されたものであることが分かる。図３Ａに示した大きさのチューナモジュール１であれば、携帯電話端末にも十分に搭載可能である。
【００７１】
［変形例］
なお、図２に示したように、アナログ音声復調部１５は、地上アナログテレビ放送用のチューナモジュールの中間周波数回路部をそのまま用いるようにしたが、これに限るものではない。例えば、図４に示すように、映像信号の処理系である低域通過フィルタ１５９、増幅回路１６０を省略し、音声信号専用の復調回路を構成することももちろんできる。
【００７２】
すなわち、図４に示したアナログ音声復調部１６は、低域通過フィルタ１５９、増幅回路１６０を備えない点を除けば、図２に示したアナログ音声復調部１５と同様に構成されたものである。このため、図４に示したアナログ音声復調部１６において、図２に示したアナログ音声復調部１５と同様に構成される部分には、同じ参照符号を付し、その詳細についての説明は省略する。
【００７３】
また、ＳＡＷフィルタ１４を、地上アナログテレビ放送信号あるいはＦＭラジオ放送信号から生成された音声中間周波信号を通過させる帯域制限フィルタの構成とすることによって、中間周波増幅回路１５１、映像検波器１５２、発振回路１５３についても省略するようにすることができる。
【００７４】
この場合には、アナログ音声復調部１６は、ＦＭ混合器１５４、ＦＭ局部発振回路１５５、帯域通過フィルタ１５７、ＦＭ検波器１５８のみによって構成することができ、更なる小型化、省力化を実現することができる。そして、このように構成した場合、地上アナログテレビ放送信号あるいはＦＭラジオ放送信号のいずれを受信、選局するようにした場合であっても、それら地上アナログテレビ放送信号あるいはＦＭラジオ放送信号から生成された音声中間周波信号が、ＳＡＷフィルタ１４を通じてＦＭ混合器１５４に供給され、上述もしたように、ＦＭ第２中間周波信号に変換され、これが帯域通過フィルタ１５７を通じてＦＭ検波器に供給されて、音声信号を復調するようにすることができる。
【００７５】
［カード型チューナについて］
また、上述の実施の形態においては、チューナモジュール１を携帯電話端末に搭載した場合を例にして説明したが、これに限るものではない。携帯電話端末などのいわゆるモバイル機器には、いわゆるメモリカードなどの外部メモリを接続するためのメモリカードスロットを備えているものが多い。
【００７６】
そこで、チューナモジュール１を搭載したカード型チューナを構成し、必要な場合にのみ、カード型チューナを携帯電話端末などのモバイル機器のメモリカードスロットに装着することによって、放送受信用のチューナ機能を携帯電話端末などのモバイル機器に追加するようにすることもできる。
【００７７】
図５は、カード型チューナの構成例を説明するためのブロック図である。図５に示すカード型チューナ１Ａは、カード型の筐体の中に、図２に示したチューナモジュール１と音声デコーダ１７と選択回路１８とを備えたものである。図２を用いて説明したように、チューナモジュール１は、デジタルモバイルテレビ放送に応じたＴＳ信号、あるいは、地上アナログテレビ放送に応じたアナログ音声信号、あるいは、ＦＭラジオ放送に応じたアナログ音声信号のいずれかを選択して出力することができるものである。
【００７８】
携帯電話端末などのモバイル機器は、デジタル信号の処理系を備え、ここにデ・マルチプレクサやＭＰＥＧデコーダの機能が搭載されていることが多い。このため、カード型チューナ１Ａからの出力信号をＴＳ信号に絞ることにより、携帯電話端末などのモバイル機器に新たにアナログ音声信号の入力端やアナログ音声信号の処理系などを設けることなく、すなわち、何らの変更を行うことなく、放送受信用のチューナ機能を追加するようにすることができる。
【００７９】
したがって、図５に示したカード型チューナ１Ａの場合には、ＴＳ信号（図５においてはＴＳと記載。）はそのまま選択回路１８に供給し、アナログ音声信号（図５においてはＡＵと記載。）については、音声デコーダ１７に供給する。音声デコーダ１７は、これに供給されたアナログ音声信号をデジタル音声信号に変換し、このデジタル音声信号をＴＳ信号形式に合致した信号に変換して、選択回路１８に供給する。
【００８０】
選択回路１８は、ユーザーからの選択入力に応じて、チューナモジュール１から供給されたＴＳ信号（デジタルモバイルテレビ放送信号に応じたＴＳ信号）を出力するか、音声デコーダ１７から供給されたＴＳ信号（地上アナログテレビ放送の音声信号に応じたＴＳ信号またはＦＭラジオ放送の音声信号に応じたＴＳ信号）のいずれを出力するかを切り換える。
【００８１】
そして、選択回路１８から出力されたＴＳ信号は、ＴＳ信号の出力端子ＴＳを通じて携帯電話端末などのモバイル機器のデジタル信号の処理系に入力され、必要な映像データ、音声データが抽出され、ＭＰＥＧデコードされてデータ圧縮前の映像データと音声データ、ありぃは、音声データが復元される。この復元された映像データと音声データ、あるいは、音声データが用いられて、映像や音声が再生するようにされる。
【００８２】
なお、図５のカード型チューナ１Ａの端子ＤＴは、制御信号などを送受するためのデータの入出力端子であり、ユーザーからの指示入力に応じた選局制御信号や、状態を通知するための状態通知信号などを携帯電話端末などのモバイル機器本体側との間で送受することができるようにしている。
【００８３】
このように、カード型チューナを構成することにより、メモリカードスロットを有する種々のモバイル機器に、放送信号のチューナ機能を簡単に追加することができる。
【００８４】
なお、図５に示したカード型チューナ１Ａは、構成例の１つでありこれに限るものではない。例えば、カード型チューナ内において、ＭＰＥＧデコードまでを終了させ、データ圧縮前の状態に復元した映像データや音声データを出力するように構成することもできるし、さらにデータ圧縮前の復元した映像データ、音声データをさらにアナログ信号に変換して出力するようにすることもできる。
【００８５】
また、カード型チューナ内において、映像データや音声データを所定のフォーマットのデータに変換して出力するようにすることももちろん可能である。つまり、カード型チューナが装着されるモバイル機器が備えるデジタルデコーダに応じた形式のデータを形成するデジタルエンコーダを搭載するようにすることもできる。
【００８６】
また、カード型チューナの大きさは、既に提供されている各種のいわゆるメモリカード以下の大きさとすることができる。具体的には、図３を用いて説明したように、横２５ｍｍ、縦２０ｍｍ、高さ２．８ｍｍ以下にすることが可能である。
【００８７】
また、上述した実施の形態のチューナモジュール１においては、デジタルモバイルテレビ放送の映像と音声、地上アナログテレビ放送の音声、ＦＭラジオ放送の音声の利用が可能であるものとして説明したが、これに限るものではない。例えば、地上アナログテレビ放送用の帯域幅が広い放送信号についても帯域制限することなく中間周波信号に変換可能な高周波回路を搭載することにより、地上アナログテレビ放送によって提供される映像信号についても復調して利用できるようにすることができる。なお、地上アナログテレビ放送信号の受信用高周波回路については、特願２００２−３６８４８１の特許出願書類に詳細に説明されている。
【００８８】
また、中間周波信号の周波数は、種々の条件などに応じて、任意の周波数を用いるようにすることができるし、映像検波や音声検波の方式も種々の方式を用いるようにすることができる。
【００８９】
また、上述した実施の形態の携帯電話端末においては、スイッチ回路１２、スイッチ回路１５６、スイッチ回路６などにより、放送信号の処理経路を選択するようにしたが、スイッチ回路を用いないようにすることもできる。例えば、デジタルモバイルテレビ放送信号を処理する場合には、図１に示したデジタル復調部１３は動作させるが、アナログ音声復調部１５を動作させないように制御することが可能である。
【００９０】
これとは逆に、地上アナログテレビ放送信号を処理する場合には、アナログ音声復調部１５は動作させるが、デジタル復調部１３は動作させないようにし、さらにアナログ音声復調部１５のＦＭ用局部発振回路１５５は動作させないようにしたり、また、ＦＭラジオ放送信号を処理する場合には、アナログ音声復調部１５は動作させるが、デジタル復調部１３は動作させないようにし、さらにアナログ音声復調部１５の発振回路１５３は動作させないようにしたりすることにより、スイッチ回路を設けなくても、適正な信号処理経路を選択し、受信信号を処理することができる。
【００９１】
この場合の各部分の動作／非動作は、電源の供給／非供給によって制御可能である。このように、スイッチ回路を設ける代わりに、動作させる回路部と動作させない回路部とを制御することにより、更なる省力化を図ることが可能である。
【００９２】
また、上述の実施の形態においては、この発明を携帯電話端末に搭載した場合を例にして説明したが、これに限るものではない。例えば、ＰＤＡ、ノート型パーソナルコンピュータ、主に静止画を撮像するためのデジタルスチルカメラや主に動画を接続するためのデジタルビデオカメラなど、表示素子とスピーカ、あるいは、少なくともヘッドホン端子などの再生音声信号の出力端子を備える電子機器にこの発明を適用することができる。
【図面の簡単な説明】
【００９３】
【図１】この発明による高周波受信装置の一実施の形態が適用された携帯電話端末を説明するためのブロック図である。
【図２】この発明に夜高周波受信装置の一実施の形態が適用されたチューナモジュールを説明するための図である。
【図３】この発明によるチューナモジュールの大きさと従来のチューナモジュールの大きさとを比較するための図である。
【図４】この発明によるチューナモジュール１のアナログ音声復調部の他の例を説明するための図である。
【図５】この発明による高周波受信装置を用いたチューナモジュールを利用して形成したカード型チューナの構成例を説明するための図である。
【符号の説明】
【００９４】
１…チューナモジュール、１１…高周波回路部、１１１…高周波増幅器、１１２…混合器、１１３…局部発信器、１１４…中間周波増幅器１１４、１２…スイッチ回路（ＳＷ）、１３…デジタル復調部、１３１…Ａ／Ｄ変換器、１３２…ＯＦＤＭ復調部、１３３…ＦＥＣ部、１４…ＳＡＷフィルタ、１５…アナログ音声復調部、１５１…中間周波増幅器、１５２…映像検波器、１５３…発振回路、１５４…ＦＭ混合器、１５５…ＦＭ用局部発振回路、１５６…スイッチ回路（ＳＷ）、１５７…帯域制限フィルタ、１５８…ＦＭ検波器、１５９…低域通過フィルタ、１６０…増幅器、１６…アナログ音声復調部、１７…音声デコーダ、１８…選択回路
【図１】
2006013646.tif 000003
【図２】
2006013646.tif 000004
【図３】
2006013646.tif 000005
【図４】
2006013646.tif 000006
【図５】
2006013646.tif 000007